(57)【要約】【課題】シフトレバーの操作位置を容易に認識でき、照明の質感や装飾性を高くする。【解決手段】シフトレバー２が貫通する移動用孔が形成されたシフトベースと、シフトベースの外周縁部を上方より被い、シフトベースの外周縁部から移動用孔までを露出させる開口部４ａを有するカバー４と、カバー４とシフトベースの間に配置される導光部材１０と、ＬＥＤ２０とを備え、導光部材１０は、カバー４の開口部４ａの周縁と相似形状をなし、その先端がカバー４の開口部４ａの周縁を超えて開口部４ａに露出し、この露出箇所が光射出面とされた導光本体１１と、導光本体１１の複数箇所で外周側に突出され、ＬＥＤ２０からの光が入射する光入射面１２ａを有する複数の光導入部１２とを備え、各光導入部１２の外周面と導光本体１１の外周面との連結箇所が曲面１３に形成され、光導入部１２の光入射面１２ａと導光本体１１の外周面との連結箇所が曲面１４に形成されている。【選択図】図６
2013126787.tif 000002
【特許請求の範囲】
【請求項１】
シフトレバーと、前記シフトレバーが貫通する移動用孔が形成されたシフトベースと、前記シフトベースの外周縁部を上方より被い、前記シフトベースの前記外周縁部から前記移動用孔までを露出させる開口部を有するカバーと、前記カバーと前記シフトベースとの間に配置される導光部材と、前記導光部材に光を射出する複数の光源とを備え、
前記導光部材は、前記カバーの前記開口部の周縁と相似形状をなし、その先端が前記カバーの前記開口部の周縁を超えて前記開口部に露出し、この露出箇所が光射出面とされた導光本体と、前記導光本体の複数箇所で外周側に突出され、前記光源からの光が入射する光入射面を有する複数の光導入部とを備え、前記各光導入部の外周面と前記導光本体の外周面との連結箇所が曲面に形成され、且つ、前記光導入部の前記入射面と前記導光本体の外周面との連結箇所が曲面に形成されていることを特徴とする自動変速機用シフトレバー装置。
【請求項２】
請求項１記載の自動変速機用シフトレバー装置であって、
前記光導入部の外周側の端面が傾斜面に形成されていることを特徴とする自動変速機用シフトレバー装置。
【請求項３】
請求項１又は請求項２記載の自動変速機用シフトレバー装置であって、
前記導光部材は、外周側に突出する位置決め突部を有し、前記位置決め突部の外周面が曲面に形成されていることを特徴とする自動変速機用シフトレバー装置。
【発明の詳細な説明】
【技術分野】
【０００１】
本発明は、シフトレバーの周囲を照らすことができる自動変速機用シフトレバー装置に関する。
【背景技術】
【０００２】
この種の従来の自動変速機用シフトレバー装置として、特許文献１に開示されたものがある。この自動変速機用シフトレバー装置５０は、図７に示すように、シフトレバー５１と、このシフトレバー５１が貫通するシフトベース（遮蔽スライドプレート）５２と、このシフトベース５２の周縁部を被い、開口部５３Ａ，５３Ｂ，５３Ｃを有するカバー５３と、このカバー５３の周縁に配置され、カバー５３の開口部５３Ａ，５３Ｂ，５３Ｃの全周縁より一部露出する第１及び第２導光部材６０，６１と、この第１及び第２導光部材６０，６１に光をそれぞれ射出する第１及び第２光源６２，６３とを備えている。
【０００３】
カバー５３の開口部５３Ａ，５３Ｂは、互いに間隔を置いて配置された大きさの異なる２つの長方形開口５３Ａ，５３Ｂと、これら２つの長方形開口５３Ａ，５３Ｂ間を連結するストレート連結開口５３Ｃとから構成されている。第１導光部材６０は、長方形開口５３Ａの周縁より一部露出されている。第２導光部材６１は、他の長方形開口５３Ｂの周縁より一部露出されている。
【０００４】
第１及び第２導光部材６０，６１は、第１及び第２光源６２，６３の近接位置に配置され、光を入射する光入射面６０ａ，６１ａと、光入射面６０ａ，６１ａより入射した光を反射させる２箇所の光反射面６０ｂ，６１ｂと、光反射面６０ｂ，６１ｂで反射した光が射出する光射出面６０ｃ，６１ｃをそれぞれ有する。各光射出面６０ｃ，６１ｃは、長方形開口５３Ａと長方形開口５３Ｂの周縁よりそれぞれ露出されている。各光射出面６０ｃ，６１ｃは、ほぼ長方形の枠形状である。
【０００５】
第１光源６２が点灯すると、第１導光部材６０内に光が入射し、第１導光部材６０の光射出面６０ｃより光が射出される。これにより、図８（ａ）に示すように、長方形開口５３Ａの周縁が発光する（図８（ａ）では発光エリアをクロスハッチングで示す）。第２光源６３が点灯すると、第２導光部材６１内に光が入射し、第２導光部材６１の光射出面６１ｃより光が射出される。これにより、図８（ｂ）に示すように、長方形開口５３Ｂの周縁が発光する（図８（ｂ）では発光エリアをクロスハッチングで示す）。
【０００６】
従って、車室内が暗い場合でも、シフトレバー５１の周辺が明るくなり、操作位置が認識できる。
【先行技術文献】
【特許文献】
【０００７】
【特許文献１】特開平１０−２１７７９６号公報
【発明の概要】
【発明が解決しようとする課題】
【０００８】
しかしながら、前記従来例では、第１及び第２導光部材６０，６１の光射出面６０ｃ，６１ｃがそれぞれ長方形の枠形状であるため、第１及び第２光源６２，６３からの各光を光射出面６０ｃ，６１ｃの全域に均一に導くことが困難である。そのため、第１及び第２導光部材６０，６１の光射出面６０ｃ，６１ｃが均一に面発光せず、シフトレバー５１の操作位置を容易に認識できない場合もある。又、シフトレバー５１の周囲の照明が不均一であると、照明の質感や装飾性が低く、これらの向上が要望されている。
【０００９】
そこで、本発明は、前記した課題を解決すべくなされたものであり、シフトレバーの操作位置を容易に認識でき、照明の質感や装飾性が高い自動変速機用シフトレバー装置を提供することを目的とする。
【課題を解決するための手段】
【００１０】
本発明は、シフトレバーと、前記シフトレバーが貫通する移動用孔が形成されたシフトベースと、前記シフトベースの外周縁部を上方より被い、前記シフトベースの前記外周縁部から前記移動用孔までを露出させる開口部を有するカバーと、前記カバーと前記シフトベースとの間に配置される導光部材と、前記導光部材に光を射出する複数の光源とを備え、前記導光部材は、前記カバーの前記開口部の周縁と相似形状をなし、その先端が前記カバーの前記開口部の周縁を超えて前記開口部に露出し、この露出箇所が光射出面とされた導光本体と、前記導光本体の複数箇所で外周側に突出され、前記光源からの光が入射する光入射面を有する複数の光導入部とを備え、前記各光導入部の外周面と前記導光本体の外周面との連結箇所が曲面に形成され、且つ、前記光導入部の前記入射面と前記導光本体の外周面との連結箇所が曲面に形成されていることを特徴とする自動変速機用シフトレバー装置である。
【００１１】
前記光導入部の外周側の端面が傾斜面に形成されることが好ましい。
【００１２】
前記導光部材は、外周側に突出する位置決め突部を有し、前記位置決め突部の外周面が曲面に形成されることが好ましい。
【発明の効果】
【００１３】
本発明によれば、光入射面より光導入部に入射した光は、光導入部より導光本体に入り込み、導光本体に進入した光は、反射しつつ進み、光射出面より外部に射出される。ここで、光導入部と導光本体の外周側の連結箇所は、光反射条件が急激に変化しないように曲面に形成され、又、光導入面と導光本体の外周面の連結箇所は、光反射条件が極力急激に変化しないように曲面に形成されているため、かかる連結箇所で外部に集中的に光漏洩したり、同一方向に集中的に反射したりすることがない。以上より、導光部材内で光の偏在（光の集中）が発生することなく、導光部材の内周側の光射出面より均一に外部に射出され、導光部材が円環状に均一に面発光する。
【図面の簡単な説明】
【００１４】
【図１】本発明の一実施形態を示し、（ａ）は自動変速機用シフトレバー装置の斜視図、（ｂ）は自動変速機用シフトレバーの平面図である。
【図２】本発明の一実施形態を示し、（ａ）は図１（ｂ）のＡ−Ａ線断面図、（ｂ）は図１（ｂ）のＢ−Ｂ線断面図である。
【図３】本発明の一実施形態を示し、（ａ）は図２（ｂ）のＣ部拡大図、（ｂ）は図２（ｂ）のＤ部拡大図である
【図４】本発明の一実施形態を示し、導光部材と基板の組み付け状態の平面図である。
【図５】本発明の一実施形態を示し、（ａ）は表面側から見た導光部材の斜視図、（ｂ）は裏面側から見た導光部材の斜視図である。
【図６】本発明の一実施形態を示し、導光部材の平面図である。
【図７】従来例を示し、自動変速機用シフトレバー装置の断面図である。
【図８】従来例を示し、（ａ）は第１導光部材の発光状態を説明する要部平面図、（ｂ）は第２導光部材の発光状態を説明する要部平面図である。
【発明を実施するための形態】
【００１５】
以下、本発明の実施形態を図面に基づいて説明する。
【００１６】
（実施形態）
図１〜図６は、本発明の一実施形態を示す。自動変速機用シフトレバー装置１は、シフトレバー２と、このシフトレバー２が貫通するシフトベース３と、このシフトベース３の周縁部を被い、開口部４ａを有するカバー４と、カバー４とシフトベース３の間に配置された基板５及び導光部材１０と、この導光部材１０に光を射出する４個の光源であるＬＥＤ（Ｌｉｇｈｔ  Ｅｍｉｔｔｉｎｇ  Ｄｉｏｄｅ）２０とを備えている。
【００１７】
シフトレバー２は、シフトベース３のレバー移動用孔３ａに沿って移動し、所定の操作位置に変移できる。
【００１８】
シフトベース３は、光非透過部材より形成されている。シフトベース３は、カバー４の開口部４ａより露出する遮蔽プレート部３Ａと、カバー４の開口部４ａの下方に隠れる部品収容部３Ｂとを備えている。遮蔽プレート部３Ａの中心箇所に、レバー移動用孔３ａが形成されている。部品収容部３Ｂの周縁には、フランジ部３ｂが突設されている。
【００１９】
カバー４は、光非透過部材より形成されている。開口部４ａは、円形状である。
【００２０】
基板５は、中心に開口部５ａを有する。この開口部５ａ内をシフトレバー２が貫通している。基板５は、両面テープ６よってシフトベース３の部品収容部３Ｂに固定されている。基板５上の４箇所にＬＥＤ２０が固定されている。
【００２１】
導光部材１０は、光透過性の材料（例えば透明な合成樹脂材）より形成されている。導光部材１０は、基板５上に両面テープ７で固定されている。導光部材１０は、円環状の導光本体１１と、この導光本体１１の４箇所で外周側に突出された４つの光導入部１２とを備えている。
【００２２】
導光本体１１内をシフトレバー２が貫通している。導光本体１１は、その内周側がカバー４の開口部４ａより露出し、この露出箇所が光射出面１１ａとされている。詳細には、導光本体１１の内周側は、カバー４の開口部４ａの周縁と相似形状をなし、その先端がカバー４の開口部４ａの周縁を超えて開口部４ａに露出している。導光本体１１の内周側の底面の全域には、円弧状の光反射面１１ｂが形成されている。この光反射面１１ｂで反射された光は、光射出面１１ａに向かうようになっている。
【００２３】
４箇所の光導入部１２は、導光本体１１の円周方向に等間隔に設けられている。各光導入部１２は、ＬＥＤ２０からの光が入射する光入射面１２ａを有する。光入射面１２ａは、各ＬＥＤ２０の近接位置に対向配置されている。各光入射面１２ａは、ＬＥＤ２０からの入射光に対して直交するフラット面に形成されている。これにより、ＬＥＤ２０からの光は、効率良く光入射面１２ａより入射される。
【００２４】
各光導入部１２の外周側の外端面は、基板側に向かって傾斜する傾斜面１２ｂに形成されている。
【００２５】
各光導入部１２の外周面と導光本体１１の外周面との連結箇所は、曲面１３に形成されている。具体的には、光導入部１２の外周面が、導光本体１１の外周面の接線方向に一致するよう構成され、導光本体１１の外周面にほとんど角度変化がなく連結されている。
【００２６】
各光導入部１２の光入射面１２ａと導光本体１１の外周面との連結箇所は、曲面１４に形成されている。
【００２７】
導光部材１０は、外周側に突出する複数の位置決め突部１５を有する。各位置決め突部１５の外周面は、曲面より形成されている。これにより、位置決め突部１５は、光導入部１２の外周面に曲面で連結されている。各位置決め突部１５は、シフトベース３の部品収容部３Ｂのフランジ部３ｂに突き当てられている。これにより、導光部材１０と基板５の組み付け部品がシフトベース３に所定の位置で位置決めされている。
【００２８】
上記構成において、４つのＬＥＤ２０が発光すると、各ＬＥＤ２０より射出した光は、光入射面１２ａより光導入部１２に入射する。光導入部１２に入射した光は、光導入部１２より導光本体１１に入り込み、反射しつつ進み、主に光射出面１１ａより外部に射出される。
【００２９】
ここで、導光部材１０内を進む光は、反射条件が大きく変化する箇所で外部に大きく光漏洩したり、同一方向に集中的に反射したりして導光部材１０内に光の偏在（光の集中）は発生する可能性がある。光反射条件が急激に変化する可能性のある箇所としては、光導入部１２の外周面と導光本体１１の外周面の連結箇所と、光入射面１２ａと導光本体１１の外周面との連結箇所が考えられる。特に、光入射面１２ａと導光本体１１の外周面との連結箇所は、ＬＥＤ２０に近い位置であるため、光量が多いため、光の偏在（光の集中）による悪影響が大きい。しかし、本実施形態では、光導入部１２と導光本体１１の外周側の連結箇所は、光反射条件が急激に変化しないように曲面１３に形成されているため、光導入部１２と導光本体１１の連結箇所で外部に集中的に光漏洩したり、同一方向に集中的に反射したりすることがない。又、光入射面１２ａと導光本体１１の外周面の連結箇所は、光反射条件が極力急激に変化しないように曲面１４に形成されているため、光入射面１２ａと導光本体１１の外周面の連結箇所で外部に集中的に光漏洩したり、同一方向に集中的に反射したりすることがない。従って、導光部材１０内で光の偏在（光の集中）が発生することなく、導光部材１０の内周側の光射出面１１ａより均一に外部に射出される。これにより、導光部材１０が円環状に均一に面発光する。以上より、自動変速機用シフトレバー装置１は、シフトレバー２の操作位置を容易に認識でき、照明の質感や装飾性が高い。
【００３０】
光導入部１２の外周側の端面が傾斜面１２ｂに形成されている。導光本体１１には外周側に光導入部１２を有する領域Ｓ１と、外周側に光導入部１２を有しない領域Ｓ２に分けられ、且つ、外周側に光導入部１２を有する領域Ｓ１は、ＬＥＤ２０に近いために外周側に光導入部１２を有しない領域Ｓ２より光量が多くなる。これにより、外周側に光導入部１２を有する領域Ｓ１に対応する光射出面１１ａからの光射出量が、外周側に光導入部１２を有しない領域Ｓ２に対応する光射出面１１ａからの光射出量と比較して多くなるが、傾斜面１２ｂによって光が外部に射出する割合が多くなるため、更に均一な面発光を行うことができる。
【００３１】
導光部材１０は、外周側に突出する位置決め突部１５を有し、位置決め突部１５の外周面が曲面に形成されている。これにより、位置決め突部１５の位置で、外部に集中的に光漏洩したり、集中的に反射したりするのを極力防止できる。従って、導光部材１０に位置決め機能を持たせつつ、均一な面発光を行うことができる。
【００３２】
（変形例、その他）
前記実施形態では、導光部材１０の導光本体１１は、カバー４の開口部４ａが円形であるため、円環状に形成されているが、カバー４の開口部４ａの周縁と相似形状をなし、その先端がカバー４の開口部４ａの周縁を超えて開口部４ａに露出するものであれば良い。
【００３３】
導光部材１０には、光入射面１２ａと光射出面１１ａを除く外周面に、光反射膜などの光反射処理を施すことが好ましい。このように構成することで、光射出面１１ａの面発光を更に高輝度にできる。又、光反射処理の範囲は、光源からの距離に応じて変化させて極力均一な面発光を行うようにしても良い。光反射処理としては、塗装、メッキ、テープ、シボ、凹凸などが考えられる。
【００３４】
この実施形態では、光導入部１２は、４箇所であるが、３箇所でも、２箇所でも良い。又、光導入部１２は、５箇所でも、それ以上でも良い。
【符号の説明】
【００３５】
１  自動変速機用シフトレバー装置
２  シフトレバー
３  シフトベース
３ａ  移動用孔
４  カバー
４ａ  開口部
１０  導光部材
１１  導光本体
１１ａ  光射出面
１２  光導入部
１２ａ  光入射面
１３，１４  曲面
１５  位置決め突部
２０  ＬＥＤ（光源）
【図１】
2013126787.tif 000003
【図２】
2013126787.tif 000004
【図３】
2013126787.tif 000005
【図４】
2013126787.tif 000006
【図５】
2013126787.tif 000007
【図６】
2013126787.tif 000008
【図７】
2013126787.tif 000009
【図８】
2013126787.tif 000010